(57)【要約】      （修正有）【課題】  取付仕様が異なる複数の液晶表示パネルを共通の取付カバーで固定できるようにする。【解決手段】  取付カバー２に、それぞれ異なる第１，第２，第３の液晶表示パネル１０Ａ，１０Ｂ，１０Ｃを取り付け可能となるように、ねじ孔１３Ａ，１３Ｂ，１３Ｃなどの取付部を設ける。共通の取付カバー２に取付仕様が異なる第１，第２又は第３の液晶表示パネル１０Ａ，１０Ｂ，１０Ｃを固定でき、異なる液晶表示パネルの何れにおいても取付カバー２に固定できるので、汎用性に優れると共に、部品点数を少なくすることができるので、部品管理を容易に行うことができると共にコスト的にも優れる。【選択図】      図１
2005300854.tif 000002
【特許請求の範囲】
【請求項１】
キャビネットの内側に固定される取付カバーに複数の液晶表示パネルの何れかを選択して固定する液晶表示装置において、前記取付カバーに前記複数の液晶表示パネルの夫々を取り付け可能な取付部を備えることにより、取付仕様が異なる前記複数の液晶表示パネルを共通の前記取付カバーによって固定可能に構成したことを特徴とする液晶表示装置。
【請求項２】
前記複数の液晶表示パネルは、外形形状がほぼ同形であると共に夫々厚さの異なる、第１の液晶表示パネルと、第２の液晶表示パネルと、第３の液晶表示パネルとから成り、前記第１の液晶表示パネルを取付カバーに取り付ける際、前記第１の液晶表示パネルの側方に突設させ折曲片を設け、この折曲片に設けられた第１の挿通孔に、前記取付カバーに前記折曲片と当接する第１のねじ孔が形成された取付片を一体的に折り曲げ形成し、前記第１の挿通孔に固定ねじを挿通させ前記第１のねじ孔に螺着させ、前記第１の液晶表示パネルに代えて前記第２の液晶表示パネルを前記取付カバーに取り付ける際には、前記取付カバーの端部に形成された第２の挿通孔に固定ねじを挿通させ、前記第２の液晶表示パネルの側部に設けられた第２のねじ孔に螺着させ、前記第１の液晶表示パネル又は第２の液晶表示パネルに代えて前記第３の液晶表示パネルを前記取付カバーに取り付ける際には、前記取付カバーの平板部に中空の円筒部材の一方の端部を取り付け、この円筒部材を前記第３の液晶表示パネルに設けられた取付孔に挿入させ、前記円筒部材の内側に形成された第３のねじ孔に、前記第３の液晶表示パネルに固定ねじを螺着するように構成したことを特徴とする請求項１記載の液晶表示装置。
【請求項３】
前記円筒部材の材質は、真鍮であることを特徴とする請求項２記載の液晶表示装置。
【請求項４】
前記円筒部材の一方の端部は、前記平板部に形成された孔部にかしめて固定されたことを特徴とする請求項２又は３記載の液晶表示装置。
【発明の詳細な説明】
【技術分野】
【０００１】
本発明は、取付仕様が相違する複数の液晶表示パネルを共通の取付カバーによって取り付けキャビネットに固定するようにした液晶表示装置に関する。
【背景技術】
【０００２】
近年、ノート型やディスクトップ型パソコンあるいはテレビジョン装置の表示画面として液晶表示パネルが採用されている。ところで、この種の液晶表示装置は、一つのキャビネットに対して複数の製造メーカーによって製造された多種類のＬＣＤが実装されることが多い。このような多種類のＬＣＤを一種類のキャビネットに取付ける方法として、例えば、特許文献１には、ＬＣＤのねじ孔とキャビネットに形成する取付部に対応する複数種の取付金具を用意し、その取付金具を選択的に使い分けることによって複数のＬＣＤを共通のキャビネットに固定するように構成した液晶表示パネルの取付装置が開示されている。また、特許文献２では、標準液晶表示パネルとこれより小さい縮小液晶表示パネルとを共通のキャビネットに取り付けるにあたり、縮小液晶表示パネルに回動可能なラグを装着し、このラグを適宜回転させることによって標準液晶表示パネルを固定するボスに縮小液晶表示パネルに装着したラグをねじ止めするように構成した液晶表示パネルの取付装置が開示されている。
【０００３】
【特許文献１】特開２００１−８３４８６号公報
【特許文献２】特開２００２−２８７１１８号公報
【発明の開示】
【発明が解決しようとする課題】
【０００４】
しかし、特許文献１のように、ＬＣＤのねじ孔とキャビネットに形成する取付部に対応する複数種の取付金具によって取付仕様が相違する複数のＬＣＤを共通のキャビネットに固定する構成では、異なるＬＣＤに対して専用の取付金具が必要であり、生産コストの上昇を招くばかりでなく、部品点数の増加に伴う煩わしい部品管理が必要となる。他方、特許文献２は、縮小液晶表示パネルに回動可能に装着したラグを標準液晶表示パネルを固定するボスにあわせて回転させることによって、標準液晶表示パネルと縮小液晶表示パネルを共通したキャビネットに固定することが可能であり、ラグを付加すれば大小２種類の液晶表示パネルを固定することが可能であり、特許文献１に比較して部品点数を抑えることができるが、結局、縮小液晶表示パネルを固定するためには、ＬＣＤの最低各コーナー部を固定する４個のラグが必要となり、やはり部品点数の増加を招くとともに、取り付け時にねじを緩めて縮小液晶表示パネルに対してラグが回動可能に取り付けられていることから、キャビネットに対する縮小液晶表示パネルの位置が可変し、キャビネットに対する縮小液晶表示パネルの位置決め作業が面倒である。
【０００５】
また、近年、コンパクトな液晶表示装置が望まれてきており、このような市場の要求により、ＬＣＤの外形縮小化が進んでいる。その一つとして、例えばＬＣＤの側面に直接、固定用のねじ孔を形成し、そのねじ孔にねじを螺着することにより、その側部から固定用の突出片などを張り出させない、いわゆるサイドマウント方式が多く普及してきている一方で、ＬＣＤは、より薄型化が要求されてきている。このため、極めて薄いＬＣＤでは、強度的あるいは寸法的な面からむしろＬＣＤの側面に直接、ねじ孔を設けないほうが都合がよい場合もある。このような薄型のＬＣＤにおいては、ＬＣＤの側部にねじ孔を有する折曲片をスペース的に余裕のある方向に突出させている。例えば、パソコンやテレビジョン受像機などの液晶表示装置においては、表示画面が横長長方形状であるとともに、その表示画面となるＬＣＤの左右両側にスピーカー部が配置されているから、ＬＣＤの左右両側、すなわち、横長長方形状のＬＣＤにおいて、ＬＣＤの短手方向に折曲片を突設する場合が多い。このように近年の液晶表示装置においては、ＬＣＤの厚さによって、ＬＣＤの側面に直接、ねじ孔を形成するタイプと、ＬＣＤの短手方向に折曲片を突設する二つのタイプに大別されているが、前述した特許文献１及び特許文献２で開示されている液晶表示パネルの取付構造では、こうした複数の液晶表示パネルを共通の取付カバーには固定することはできない。
【０００６】
本発明は、上記課題に鑑みてなされたもので、部品点数を増やすことなく取付仕様が異なる複数の液晶表示パネルを取付カバーに固定することができる汎用性及びに優れた液晶表示装置を提供することを目的とする。
【課題を解決するための手段】
【０００７】
本発明の請求項１の液晶表示装置は、キャビネットの内側に固定される取付カバーに複数の液晶表示パネルの何れかを選択して固定する液晶表示装置において、前記取付カバーに前記複数の液晶表示パネルの夫々を取り付け可能な取付部を備えることにより、取付仕様が異なる前記複数の液晶表示パネルを共通の前記取付カバーによって固定可能に構成したことを特徴とする。
【０００８】
請求項１の構成により、取付カバーには、複数の液晶表示パネルに対応した複数の取付部が設けられているから、異なる液晶表示パネルの何れにおいても取付カバーに固定することが可能となり、この取付カバーを介して取付仕様の異なる何れの液晶表示パネルであってもキャビネット内に固定することができる。
【０００９】
本発明の請求項２の液晶表示装置は、請求項１記載の液晶表示装置において、前記複数の液晶表示パネルは、外形形状がほぼ同形であると共に夫々厚さの異なる、第１の液晶表示パネルと、第２の液晶表示パネルと、第３の液晶表示パネルとから成り、前記第１の液晶表示パネルを取付カバーに取り付ける際、前記第１の液晶表示パネルの側方に突設させ折曲片を設け、この折曲片に設けられた第１の挿通孔に、前記取付カバーに前記折曲片と当接する第１のねじ孔が形成された取付片を一体的に折り曲げ形成し、前記第１の挿通孔に固定ねじを挿通させ前記第１のねじ孔に螺着させ、前記第１の液晶表示パネルに代えて前記第２の液晶表示パネルを前記取付カバーに取り付ける際には、前記取付カバーの端部に形成された第２の挿通孔に固定ねじを挿通させ、前記第２の液晶表示パネルの側部に設けられた第２のねじ孔に螺着させ、前記第１の液晶表示パネル又は第２の液晶表示パネルに代えて前記第３の液晶表示パネルを前記取付カバーに取り付ける際には、前記取付カバーの平板部に中空の円筒部材の一方の端部を取り付け、この円筒部材を前記第３の液晶表示パネルに設けられた取付孔に挿入させ、前記円筒部材の内側に形成された第３のねじ孔に、前記第３の液晶表示パネルに固定ねじを螺着するように構成したことを特徴とする。
【００１０】
請求項２の構成により、それぞれ厚さの異なる第１の液晶表示パネル、第２の液晶表示パネル、第３の液晶表示パネルを選択し、共通の取付カバーに取り付けることができるので、それぞれの液晶表示パネルに対応した取付カバーを用意するといった必要がなくなるため汎用性に優れる。
【００１１】
本発明の請求項３の液晶表示装置は、請求項２記載の液晶表示装置において、前記円筒部材の材質は、真鍮であることを特徴とする。
【００１２】
請求項３の構成により、銅と亜鉛とからなる合金である真鍮は、その色が黄色であることから、取付カバーに第３の液晶表示パネルを取り付ける際、円筒部材を目視により容易且つ確実に確認することができるので、確実且つスムーズに取り付け作業を行うことができるので作業性に優れる。さらに、円筒部材の材質を真鍮としていることで、錆び難いので耐久性に優れる。
【００１３】
本発明の請求項４の液晶表示装置は、請求項２又は３記載の液晶表示装置において、前記円筒部材の一方の端部は、前記平板部に形成された孔部にかしめて固定されたことを特徴とする
【００１４】
請求項４の構成により、平板部の孔部に円筒部材をかしめて固定する際、円筒部材は加工のし易い真鍮材であるから、孔部への円筒部材の固定を容易に行うことができるので、作業性に優れ生産性を向上することができる。
【発明の効果】
【００１５】
本発明の請求項１の液晶表示装置によれば、液晶表示装置は、キャビネットの内側に固定される取付カバーに複数の液晶表示パネルの何れかを選択して固定する液晶表示装置において、前記取付カバーに前記複数の液晶表示パネルの夫々を取り付け可能な取付部を備えることにより、取付仕様が異なる前記複数の液晶表示パネルを共通の前記取付カバーによって固定可能に構成したものであり、取付カバーに異なる液晶表示パネルの何れにおいても固定できるので、汎用性に優れると共に、部品点数を少なくすることができるので、部品管理を容易に行うことができると共にコスト的にも優れる。
【００１６】
本発明の請求項２の液晶表示装置によれば、請求項１において、前記複数の液晶表示パネルは、外形形状がほぼ同形であると共に夫々厚さの異なる、第１の液晶表示パネルと、第２の液晶表示パネルと、第３の液晶表示パネルとから成り、前記第１の液晶表示パネルを取付カバーに取り付ける際、前記第１の液晶表示パネルの側方に突設させ折曲片を設け、この折曲片に設けられた第１の挿通孔に、前記取付カバーに前記折曲片と当接する第１のねじ孔が形成された取付片を一体的に折り曲げ形成し、前記第１の挿通孔に固定ねじを挿通させ前記第１のねじ孔に螺着させ、前記第１の液晶表示パネルに代えて前記第２の液晶表示パネルを前記取付カバーに取り付ける際には、前記取付カバーの端部に形成された第２の挿通孔に固定ねじを挿通させ、前記第２の液晶表示パネルの側部に設けられた第２のねじ孔に螺着させ、前記第１の液晶表示パネル又は第２の液晶表示パネルに代えて前記第３の液晶表示パネルを前記取付カバーに取り付ける際には、前記取付カバーの平板部に中空の円筒部材の一方の端部を取り付け、この円筒部材を前記第３の液晶表示パネルに設けられた取付孔に挿入させ、前記円筒部材の内側に形成された第３のねじ孔に、前記第３の液晶表示パネルに固定ねじを螺着するように構成したものであり、それぞれ厚さの異なる第１の液晶表示パネル、第２の液晶表示パネル、第３の液晶表示パネルを選択し、共通の取付カバーに取り付けることができるので、それぞれの液晶表示パネルに対応した取付カバーを用意するといった必要がなくなるため汎用性に優れると共に金型製作費や改造費に対するコストを節約することができ、部品点数を削減できるので、部品管理が容易となるとともに取付作業性にも優れる。
【００１７】
本発明の請求項３の液晶表示装置によれば、請求項２において、前記円筒部材の材質は、真鍮であり、銅と亜鉛とからなる合金である真鍮は、その色が黄色であることから視認性に優れ、スムーズに取り付け作業を行うことができるから作業性を向上することができる。さらに、円筒部材の材質は真鍮なので錆び難いので耐久性に優れる。
【００１８】
本発明の請求項４の液晶表示装置は、請求項２又は３記載において、前記円筒部材の一方の端部は、前記平板部に形成された孔部にかしめて固定したものであり、平板部の孔部に円筒部材をかしめて固定する際、円筒部材は加工のし易い真鍮材であるから、孔部への円筒部材の固定を容易に行うことができ生産性を向上することができる。
【発明を実施するための最良の形態】
【００１９】
以下、図１〜１０を参照しながら、本発明を実施するための最良の形態としての実施例を説明する。
【００２０】
図１は第１の液晶表示パネルと取付カバーの分解斜視図であり、図２は第２の液晶表示パネルと取付カバーの分解斜視図であり、図３は第３の液晶表示パネルと取付カバーの分解斜視図である。
【００２１】
１は、本発明の液晶表示装置の液晶パネルユニットであり、この液晶パネルユニット１は、取り付け仕様が相違する３種類の、第１の液晶表示パネル１０Ａ、第２の液晶表示パネル１０Ｂ及び第３の液晶表示パネル１０Ｃと、これらを後述するキャビネットに固定するための取付カバー２と、この取付カバー２に固定される図示しない回路基板などにより構成されている。
【００２２】
第１，第２，第３の液晶表示パネル１０Ａ，１０Ｂ，１０Ｃには、図示はしないが液晶表示素子本体と、この液晶表示素子本体の背面からその外周側を覆う金属製のパネル固定枠１１Ａ，１１Ｂ，１１Ｃを備えている。
【００２３】
なお、本実施例においては、第１、第２及び第３の液晶表示パネル１０Ａ，１０Ｂ，１０Ｃは、液晶表示装置８たるテレビジョン受像機の表示画面としてテレビジョン受像機のキャビネット４に組み込まれるものである。このキャビネット４は、前後に分割したフロントキャビネット４Ａとバックキャビネット４Ｂとに分割されるようになっている。そして、第１，第２，第３の液晶表示パネル１０Ａ，１０Ｂ，１０Ｃは、選択した第１、第２及び第３の液晶表示パネル１０Ａ，１０Ｂ，１０Ｃの何れかが表示窓７を有するフロントキャビネット４Ａに固定されるものであり、図９に示すように、その固定される第１、第２、第３の液晶表示パネル１０Ａ，１０Ｂ，１０Ｃの左右両側に１対のスピーカー部９，９がフロントキャビネット４Ａに取り付けられ配置されている。なお、フロントキャビネット４Ａに組み込まれる夫々の第１，第２，第３の液晶表示パネル１０Ａ，１０Ｂ，１０Ｃは、表示装置の寸法規格が表示面の大きさに係るものであるために、その外形寸法がほぼ同形同大で共に横長長方形状の箱型に形成されているが、厚みにおいては統一的な規格がなく相違する場合が多いものであり、本実施例においては、第１の液晶表示パネル１０Ａ、第２の液晶表示パネル１０Ｂ、第３の液晶表示パネル１０Ｃ、の順により厚さが厚く形成されている場合を実施例として説明する。これらのＬＣＤ１０Ａ，１０Ｂ，１０Ｃは、その取付仕様も相違しており、一般的には、パネル固定枠の背面に突出した複数（多くの場合は４箇所）の折曲片を形成し、その折曲片に取り付け用のねじ孔を形成したものと、パネル固定枠の側面（多くの場合は長手方向の側面）に複数（多くの場合は４箇所）のねじ孔を形成したものが多い。
【００２４】
以下、実施例として説明する３つの相違した取付方法のＬＣＤ１０Ａ，１０Ｂ，１０Ｃは、これら３つのＬＣＤ１０Ａ，１０Ｂ，１０Ｃの内で、一番厚さの薄い第１の液晶表示パネル１０Ａを覆うパネル固定枠１１Ａには、図１に示すように、その横方向である長手方向に、第１の液晶表示パネル１０Ａの固定位置となる第１の挿通孔１８Ａを有する折曲片１４が相対向して側方に突設されている。
【００２５】
また、第１の液晶表示パネル２より厚い第２の液晶表示パネル１０Ｂのパネル固定枠１１Ｂには、図２に示すように、その長手方向のその側部に第２の液晶表示パネル１０Ｂの固定位置となる一対の第２のねじ孔１３Ｂが相対向して設けられている。
【００２６】
また、第２の液晶表示パネル１０Ｂより厚い第３の液晶表示パネル１０Ｃのパネル固定枠１１Ｃには、図３に示すように、その角部近傍の４隅に前後方向（図３に示す上下方向）に、開口する開口部２１が形成されている。この開口部２１には、図７に示す一部切欠断面図に示すように、パネル固定枠１１Ｃの前側に形成された前側開口部２１Ｆとパネル固定枠の後側に形成された後側開口部２１Ｂからなると共に前側開口部２１Ｆと後側開口部２１Ｂとを連設する取付孔２２が設けられている。
【００２７】
ところで、取付カバー２は、例えば金属材料からなる薄板を折り曲げて加工し、前述した第１、第２及び第３の液晶表示パネル１０Ａ，１０Ｂ，１０ＣのＬＣＤの背面から夫々の外周側を覆うように取付カバー２の平板部１５の周縁から直角に折曲した周壁部１６を形成している。そして、取付カバー２に形成された前記周壁部１６には、その長手方向に前記第１の液晶表示パネル１０Ａの折曲片１４と当接する取付片１７が相対向して一体的に折り曲げ形成され、この取付片１７に第１の挿通孔１８Ａと対応する第１のねじ孔１３Ａが形成されるとともに、取付カバー２の長手方向の端部には、図２及び図５に示すように第２の液晶表示パネル１０Ｂの第２のねじ孔１３Ｂと対応する位置に第２の挿通孔１８Ｂが形成されている。
【００２８】
そして、第１の液晶表示パネル１０Ａを選択して取付カバー２に取り付ける場合には、第１の挿通孔１８Ａに固定ねじ２０ｂを挿通し、取付片１７に形成する第１のねじ孔１３Ａに螺着する。
【００２９】
また、第２の液晶表示パネル１０Ｂを選択した場合には、第２の挿通孔１８Ｂに固定ねじ２２ｂを挿通し、第２のねじ孔１３Ｂに螺着して第２の液晶表示パネル１０Ｂを取付カバー２に取り付ける。
【００３０】
また、第３の液晶表示パネル１０Ｃを選択した場合には、図３及び図８に示すように、取付カバー２の平板部１５の４隅に、取付孔２２に対応するように取付カバー２の位置に孔部２３を形成し、図８の（ａ）〜（ｃ）の順序で、孔部２３に中空の円筒部材２４を挿通させ円筒部材２４の一方の端部を孔部２３にかしめて取り付ける。なお、円筒部材２４の内側には、第３のねじ孔１３Ｃが形成されており、取付カバー２に第３の液晶表示パネル１０Ｃを取り付ける際には、取付カバー２に取り付けられた円筒部材２４の先端に、第３の液晶表示パネル１０Ｃの後側開口部２１Ｂを挿通させ、取付孔２２まで挿入する。そして、前側開口部２１Ｆから固定ねじ２０ｃを第３のねじ孔１３Ｃに螺着することで、第３の液晶表示パネル１０Ｃを取付カバー２に取り付けることができる。これにより、必要に応じて選択した第１、第２又は第３の液晶表示パネル１０Ａ，１０Ｂ，１０Ｃ，の内の何れにおいても取付カバー２に、取付部であるねじ孔などに固定ねじにより固定することができ、その取付カバー２をフロントキャビネット４Ａに固定することによって、選択した第１、第２又は第３の液晶表示パネル１０Ａ，１０Ｂ，１０Ｃの何れかをフロントキャビネット４Ａに固定できるようになっている。
【００３１】
次に、前記第１，第２，又は第３の液晶表示パネル１０Ａ，１０Ｂ，１０Ｃのそれぞれを取付カバー２を用いて前記フロントキャビネット４Ａに固定する方法を説明する。
【００３２】
まず、厚さの薄い第１の液晶表示パネル１０Ａを固定する方法について説明する。第１の液晶表示パネル１０Ａをフロントキャビネット４Ａに固定するにあたり、第１の液晶表示パネル１０Ａを取付カバー２に固定する。すなわち図１に示すように、取付カバー２の取付片１７に形成する第１のねじ孔１３Ａと第１の液晶表示パネル１０Ａの折曲片１４に形成する第１の挿通孔１８Ａとの位置を合わせて、固定ねじ２０ａを第２のねじ孔１８Ｂに通して第１のねじ孔１０に螺着することにより、第１の液晶表示パネル２が取付カバー４に固定される。
【００３３】
次に、取付カバー２に固定された第１の液晶表示パネル１０Ａは、その表示面４０がフロントキャビネット４Ａの表示窓７に臨むようにフロントキャビネット４Ａ内に載置される。そして、取付カバー２に形成された開口孔３０の位置と、フロントキャビネット４Ａに形成されている、取付ボス部３１に形成されているねじ孔部３２の位置とを合わせて、ねじ３３を開口孔３０に通して取付ボス部３１に螺着することにより、第１の液晶表示パネル１０Ａがフロントキャビネット４Ａに固定される。
【００３４】
また、第１の液晶表示パネル１０Ａより厚い第２の液晶表示パネル１０Ｂ又は第２の液晶表示パネル１０Ｃの何れかをフロントキャビネット４Ａに固定する場合、実質的に第１の液晶表示パネル２と同様な手順によって取付カバー２への取り付けが行われるのでその説明を省略するが、本実施例においては、取付カバー２に対し、それぞれ構造の異なる液晶表示パネル、すなわち第１，第２，第３の液晶表示パネル１０Ａ，１０Ｂ，１０Ｃを、取付カバー２に、必要に応じて単に、取付片１７、円筒部材２４、ねじ孔などを容易な加工により設けることで、複数である第１，第２，第３の液晶表示パネル１０Ａ，１０Ｂ，１０Ｃを取付カバー２に取り付けることができるので、汎用性に優れるものである。また、円筒部材２４の材質は、真鍮であるので、銅と亜鉛との合金であり、その色が黄色であるので、取付カバー２に第３の液晶表示パネル１０Ｃを取り付ける際、視認性が良いので、確実に取り付け作業を行うことができる。さらに、円筒部材の材質を真鍮としているので、加工がし易くさらに錆び難いので耐久性に優れる。
【００３５】
以上のように、本実施例における液晶表示装置は、キャビネット４の内側に固定される取付カバー２に複数の液晶表示パネル１０Ａ，１０Ｂ，１０Ｃの何れかを選択して固定する液晶表示装置において、取付カバー２に複数の液晶表示パネル１０Ａ，１０Ｂ，１０Ｃの夫々を取り付け可能な第１，第２，第３のねじ孔１３Ａ，１３Ｂ，１３Ｃなどの取付部を備えることにより、取付仕様が異なる複数の液晶表示パネル１０Ａ，１０Ｂ，１０Ｃを共通の取付カバー２によって固定可能に構成したものであり、取付カバー２には、複数の液晶表示パネル１０Ａ，１０Ｂ，１０Ｃに対応した複数の取付部が設けられているから、異なる液晶表示パネル１０Ａ，１０Ｂ，１０Ｃの何れにおいても取付カバー２に固定することが可能となり、この取付カバー２を介して取付仕様の異なる何れの液晶表示パネル１０Ａ，１０Ｂ，１０Ｃであってもキャビネット内に固定することができる。これにより、汎用性に優れると共に、部品点数を少なくすることができるので、部品管理を容易に行うことができると共にコスト的にも優れる。さらに、複数の液晶表示パネルは、第１の液晶表示パネル１０Ａと、この第１の液晶表示パネル１０Ａと外形形状がほぼ同形で第１の液晶表示パネル１０Ａより厚い第２の液晶表示パネル１０Ｂと、第１の液晶表示パネル１０Ａと外形形状がほぼ同形で第２の液晶表示パネル１０Ｂより厚い第３の液晶表示パネル１０Ｃとから成り、つまり、複数の液晶表示パネルは、外形形状がほぼ同形であると共に夫々厚さの異なる、第１の液晶表示パネル１０Ａと、第２の液晶表示パネル１０Ｂと、第３の液晶表示パネル１０Ｃとから成り、第１の液晶表示パネル１０Ａを取付カバー２に取り付ける際、第１の液晶表示パネル１０Ａの側方に突設させ折曲片１４を設け、この折曲片１４に設けられた第１の挿通孔１８Ａに、取付カバー２に折曲片１４と当接する第１のねじ孔１３Ａが形成された取付片１７を一体的に折り曲げ形成し、第１の挿通孔１８Ａに固定ねじ２０ａを挿通させ第１のねじ孔１３Ａに螺着させ、第１の液晶表示パネル１０Ａに代えて第２の液晶表示パネル１０Ｂを取付カバー２に取り付ける際には、取付カバー２の端部に形成された第２の挿通孔１８Ｂに固定ねじ２０ｂを挿通させ、第２の液晶表示パネル１０Ｂの側部に設けられた第２のねじ孔１３Ｂに螺着させ、第１の液晶表示パネル１０Ａ又は第２の液晶表示パネル１０Ｂに代えて第３の液晶表示パネル１０Ｃを取付カバー２に取り付ける際には、取付カバー２の平板部１５に中空の円筒部材２４の一方の端部を取り付け、この円筒部材２４を第３の液晶表示パネル１０Ｃに設けられた取付孔２２に挿入させ、円筒部材２４の内側に形成された第３のねじ孔１３Ｃに、第３の液晶表示パネル１０Ｃに固定ねじ２０ｃを螺着するように構成したものであり、それぞれ厚さの異なる第１の液晶表示パネル１０Ａ、第２の液晶表示パネル１０Ｂ、第３の液晶表示パネル１０Ｃを選択し、共通の取付カバー２に取り付けることができるので、それぞれの液晶表示パネルに対応した取付カバーを用意するといった必要がなくなるため汎用性に優れ、金型製作費や改造費に対するコストを節約することができ、部品点数を削減できるので、部品管理が容易となるとともに取付作業性にも優れる。さらに、円筒部材２４の材質を真鍮としたので、銅と亜鉛とからなる合金である真鍮は、その色が黄色であることから、取付カバー２に第３の液晶表示パネル１０Ｃを取り付ける際、円筒部材２４を目視により容易且つ確実に確認することができるので、確実且つスムーズに取り付け作業を行うことができるので作業性を向上することができると共に円筒部材２４の材質を真鍮としていることで、錆び難いので耐久性に優れる。さらに、円筒部材２４の一方の端部は、平板部１５に形成された孔部２３にかしめて固定されるので、平板部１５の孔部２３に円筒部材２４をかしめて固定する際、円筒部材２４は加工のし易い真鍮材であるから、孔部２３への円筒部材２４の固定を容易に行うことができ作業性に優れるので生産性が向上する。
【００３６】
以上、本実施例の一実施例を詳述したが、本発明は前記実施例に限定されるものではなく、本発明の要旨の範囲内で種々の変形実施が可能である。例えば、前記実施例では、テレビジョン受像機に適用した一例を示したが、テレビジョン受像機に限らず、ノート型、ディスクトップ型のパソコンあるいは携帯型情報端末機などの各種の液晶表示装置に広く適用可能である。また、取付カバー２の形状なども前記実施例に限定されるものではなく、適宜選定すればよいものである。
【図面の簡単な説明】
【００３７】
【図１】本発明の取付カバーと第１の液晶表示パネルの分解斜視図である。
【図２】同上、本発明の取付カバーと第２の液晶表示パネルの分解斜視図である。
【図３】同上、本発明の取付カバーと第３の液晶表示パネルの分解斜視図である。
【図４】同上、取付カバーに第１の液晶表示パネルを取り付けた状態を示す側面図である。
【図５】同上、取付カバーに第２の液晶表示パネルを取り付けた状態を示す側面図である。
【図６】同上、取付カバーに第３の液晶表示パネルを取り付けた状態を示す側面図である。
【図７】同上、第３の液晶表示パネルの一部切欠断面図である。
【図８】同上、円筒部材を取付カバーにかしめて固定する工程を示す説明図である。
【図９】同上、液晶表示装置の全体を示す分解斜視図である。
【図１０】同上、液晶表示装置の全体を示す斜視図である。
【符号の説明】
【００３８】
２  取付カバー
４  キャビネット
８  液晶表示装置
１０Ａ  第１の液晶表示パネル（液晶表示パネル）
１０Ｂ  第２の液晶表示パネル（液晶表示パネル）
１０Ｃ  第３の液晶表示パネル（液晶表示パネル）
１３Ａ  第１のねじ孔
１３Ｂ  第２のねじ孔
１３Ｃ  第３のねじ孔
１４  折曲片
１５  平板部
１７  取付片
１８Ａ  第１の挿通孔
１８Ｂ  第２の挿通孔
２０ａ  固定ねじ
２０ｂ  固定ねじ
２０ｃ  固定ねじ
２２  取付孔
２３  孔部
２４円筒部材
【図１】
2005300854.tif 000003
【図２】
2005300854.tif 000004
【図３】
2005300854.tif 000005
【図４】
2005300854.tif 000006
【図５】
2005300854.tif 000007
【図６】
2005300854.tif 000008
【図７】
2005300854.tif 000009
【図８】
2005300854.tif 000010
【図９】
2005300854.tif 000011
【図１０】
2005300854.tif 000012